(57)【要約】【課題】被取り付け部材が樹脂部品の場合であっても、またスナップフィット部自体に寸法のバラツキがあっても信頼性の高い取り付けが行われるスナップフィット取り付け構造を提供する。【解決手段】取り付け部材１のスナップフィット部２を被取り付け部材３の取り付け穴４に弾性係止することで、取り付け部材１を被取り付け部材３に取り付けるスナップフィット取り付け構造において、取り付け穴４内で対向するスナップフィット部２、２間の寸法を維持するための寸法維持部材５を設け、かつ、スナップフィット部２の凸部２−１と係合することで抜け止め機能を有する爪部材６を取り付け穴４縁部に形成した。【選択図】        図１
2004332762.tif 000002
【特許請求の範囲】
【請求項１】
取り付け部材のスナップフィット部を被取り付け部材の取り付け穴に弾性係止することで、取り付け部材を被取り付け部材に取り付けるスナップフィット取り付け構造において、取り付け穴内で対向するスナップフィット部間の寸法を維持するための寸法維持部材を設け、かつ、スナップフィット部の凸部と係合することで抜け止め機能を有する爪部材を取り付け穴縁部に形成したことを特徴とするスナップフィット取り付け構造。
【請求項２】
取り付け部材のスナップフィット部を被取り付け部材の取り付け穴に弾性係止することで、取り付け部材を被取り付け部材に取り付けるスナップフィット取り付け構造において、取り付け穴の幅Ｗが、スナップフィット部の最大厚さＷ１、最小厚さＷ２に対して、Ｗａ＞Ｗ１、Ｗ２＜Ｗｂ＜Ｗ１の関係を有するＷａ、Ｗｂの幅で構成されており、かつスナップフィット部がＷｂ部に嵌合した時に、スナップフィット部の位置を規制する弾性突起を被取り付け部材に形成したことを特徴とするスナップフィット取り付け構造。
【発明の詳細な説明】
【０００１】
【発明の属する技術分野】
本発明は、取り付け部材（例えばセンサ）のスナップフィット部を被取り付け部材の取り付け穴に弾性係止することで、取り付け部材を被取り付け部材に取り付けるスナップフィット取り付け構造に関する。
【０００２】
【従来の技術】
図３は一般的なスナップフィット取り付け構造の構成図であり、（１）は分解斜視図、（２）は（１）のＣ方向から見た取り付け状態図である。センサに代表される取り付け部材１はその下方に４本のスナツプフィット部２を有している。板状の被取り付け部材３は、一対のスナツプフィット部２が弾性係止されるための２つの取り付け穴４を有している。
【０００３】
弾性変形する方向に対向する一対のスナツプフィット部２をそれぞれ取り付け穴４に挿入する。スナップフィット部間の寸法Ａに対して、穴寸法Ｂが規定されている。スナップフィット部２を撓ませて取り付け穴４に取り付けるとその弾性によりスナップフィット部２の突起２−１が取り付け穴４の縁に引っ掛り、取り付け部材１は被取り付け部材３から抜けない構造になっている。
【０００４】
また、類似の技術として、輸送時の落下や振動によってスラスト固定された部品が外れることを防止可能なスナップフィットはずれ防止部材を提供する特許文献１の「スナップフィットはずれ防止部材」が知られている。
【０００５】
【特許文献１】
特開２００１−３１５９８６号公報
【０００６】
【発明が解決しようとする課題】
スナップフィット取り付け構造においては、上述したように、通常推奨取り付け穴寸法指定され、スナップフィット部の突起が取り付け穴の端面に引っ掛って抜けない構造になっている。取り付け穴寸法は、板金部材を想定して指定されていることが多く、被取り付け部材に板金を使用する限りにおいては問題がない。
【０００７】
しかし、被取り付け部材が樹脂部品の場合、取り付け穴の角には微小なＲが付いていることが多いため、スナップフィット部が滑って引掛かり難く、外れやすい。また、スナップフィット部は形状的に寸法が安定し難い部分であり、その寸法のバラツキによっても外れやすい傾向にある。
【０００８】
本発明は、被取り付け部材が樹脂部品の場合であっても、またスナップフィット部自体に寸法のバラツキがあっても信頼性の高い取り付けが行われるスナップフィット取り付け構造を提供することを目的とする。
【０００９】
【課題を解決するための手段】
上記目的を達成するために、請求項１記載の発明は、取り付け部材のスナップフィット部を被取り付け部材の取り付け穴に弾性係止することで、取り付け部材を被取り付け部材に取り付けるスナップフィット取り付け構造において、取り付け穴内で対向するスナップフィット部間の寸法を維持するための寸法維持部材を設け、かつ、スナップフィット部の凸部と係合することで抜け止め機能を有する爪部材を取り付け穴縁部に形成したスナップフィット取り付け構造を最も主要な特徴とする。
【００１０】
請求項２記載の発明は、取り付け部材のスナップフィット部を被取り付け部材の取り付け穴に弾性係止することで、取り付け部材を被取り付け部材に取り付けるスナップフィット取り付け構造において、取り付け穴の幅Ｗが、スナップフィット部の最大厚さＷ１、最小厚さＷ２に対して、Ｗａ＞Ｗ１、Ｗ２＜Ｗｂ＜Ｗ１の関係を有するＷａ、Ｗｂの幅で構成されており、かつスナップフィット部がＷｂ部に嵌合した時に、スナップフィット部の位置を規制する弾性突起を被取り付け部材に形成したスナップフィット取り付け構造を最も主要な特徴とする。
【００１１】
【発明の実施の形態】
以下、本発明の実施の形態を図面に従って説明する。なお従来例と同一個所には同一符号を付して重複する説明は省略する。
【００１２】
図１は本発明の第１の実施の形態に係るスナップフィット取り付け構造の構成図である。第１の実施の形態に係るスナップフィット取り付け構造では、取り付け穴４内で対向するスナップフィット部２、２間の寸法を維持するための寸法維持部材５を設け、かつ、スナップフィット部２の凸部２−１と係合することで抜け止め機能を有する爪部材６を取り付け穴４の縁部に形成したものである。
【００１３】
図２は本発明の第２の実施の形態に係るスナップフィット取り付け構造の構成図であり、（１）は被取り付け部材の斜視図、（２）はスナップフィット部と取り付け穴の寸法を示す図、（３）は弾性突起で取り付け部材が付勢されている状態を示す図である。
【００１４】
第２の実施の形態に係るスナップフィット取り付け構造は、取り付け穴４の幅Ｗが、スナップフィット部２の最大厚さＷ１、最小厚さＷ２に対して、Ｗａ＞Ｗ１、Ｗ２＜Ｗｂ＜Ｗ１の関係を有するＷａ、Ｗｂの幅で構成されており、かつスナップフィット部２がＷｂ部に嵌合した時に、スナップフィット部２の位置を規制する弾性突起７を被取り付け部材３に形成したものである。
【００１５】
【発明の効果】
以上説明したように、本発明によれば、被取り付け部材が樹脂部品の場合であっても、またスナップフィット部自体に寸法のバラツキがあっても信頼性の高い取り付けが行われるスナップフィット取り付け構造を提供することができる。
【図面の簡単な説明】
【図１】本発明の第１の実施の形態に係るスナップフィット取り付け構造の構成図である。
【図２】本発明の第２の実施の形態に係るスナップフィット取り付け構造の構成図である。
【図３】一般的なスナップフィット取り付け構造の構成図である。
【符号の説明】
１  取り付け部材
２  スナップフィット部
２−１  凸部
３  被取り付け部材
４  取り付け穴
５  寸法維持部材
６  爪部材
【図１】
2004332762.tif 000003
【図２】
2004332762.tif 000004
【図３】
2004332762.tif 000005